(57)【特許請求の範囲】
【請求項１】
導光板に比べて小さな光源と、
前記光源から入射した光を閉じ込める導光板と、
前記導光板内部の光を拡散反射させて導光板を発光させる光学パターンと、
前記導光板の光学パターンが設けられている領域を抜けて前記光学パターンが設けられていない領域に達した余剰の光を、光学パターンが設けられていない領域の別な場所へ向けて偏向させる第１の偏向手段と、
前記第１の偏向手段により偏向された光を、導光板の光学パターンが設けられている領域へ向けて偏向させる第２の偏向手段と、
を有する面光源装置。
【請求項２】
前記第１又は第２の偏向手段のうち、少なくとも１つは前記光学パターンが設けられていない領域に形成されたプリズムであることを特徴とする、請求項１に記載の面光源装置。
【請求項３】
前記第１又は第２の偏向手段のうち、少なくとも１つは湾曲した面によって形成されていることを特徴とする、請求項１に記載の面光源装置。
【請求項４】
前記第１の偏向手段の設置部分と前記第２の偏向手段の設置部分の間において、前記光学パターンを設けられた領域と前記光学パターンが設けられていない領域とを仕切るようにして反射部材を設けたことを特徴とする、請求項１に記載の面光源装置。
【発明の詳細な説明】
【０００１】
【発明の属する技術分野】
本発明は面光源装置に関する。特に、導光板と比べて小さな光源を用いた面光源装置に関する。
【０００２】
【従来の技術】
（面光源装置）
従来の面光源装置の構造を図１の分解斜視図により示す。この面光源装置１は、光入射面２から導入された光を閉じ込めるための導光板３と、発光部４と、反射板５とから構成されている。導光板３は、ポリカーボネイト樹脂やメタクリル樹脂などの透明で屈折率の大きな樹脂により形成されており、導光板３の光出射面６と対向する面（裏面）には凹凸加工や拡散反射インクのドット印刷等によって拡散パターン７が形成されている。発光部４は、回路基板８上に複数の発光ダイオード（ＬＥＤ）等の小型の光源９を実装したものであって、導光板３の光入射面２（側面）に対向している。反射板５は、反射率の高い例えば白色樹脂シートによって形成されており、両面テープ１０によって両側部を導光板３の裏面に貼り付けられている。
【０００３】
しかして、図２に示すように、発光部４の各光源９から出射され光入射面２から導光板３内部に入射した光は拡散パターン７に入射すると拡散反射され、光出射面６に向けて全反射の臨界角よりも小さな角度で反射された光が光出射面６から外部へ出射される。また、導光板３下面の拡散パターン７が存在しない箇所を通過した光は、反射板５によって反射されて再び導光板３内部へ戻るので、導光板３下面からの光量損失を防止される。
【０００４】
ところが、このような面光源装置１においては、一列に配列された小型光源９から出射された光を導光板３に結合し、導光板３内部で拡散パターン７により光を面状に広げているため、光の制御性が必ずしも良くなく、高効率、高均一性に限界があり、また設計が容易でなかった。
【０００５】
（放射結合型の面光源装置）
そのため、本発明の出願人は、１個もしくは１箇所に局在させた小型光源の光を導光板に結合させる放射結合型の面光源装置を提案している。この放射結合型の面光源装置１１の構成を図３（ａ）（ｂ）に示す。ＬＥＤ等からなる小型の光源１２は、導光板１３の端面の１箇所に局在化されており、導光板１３の光源１２と対向する位置には、図３（ｂ）に示すような形状の光結合部１４が凹設されている。また、導光板１３の裏面には、光源１２を中心にして拡散パターン１５が同心円状に配列されている。この拡散パターン１５は、光源１２を中心とする円周方向に均一な形状を有している。これにより、光源１２からの光は、光出射面と垂直で、かつ光源１２と当該パターンを結ぶ方向を含む平面内で偏向させられ、拡散パターン１５に当たって光出射面から出射されなかった光も導光方向が変わることなく、直線的に導光される。また、導光板１３の裏面には、反射シート１６が設けられており、導光板１３の裏面から漏れた光を反射シート１６で反射させることによって導光板１３内部へ戻し、光の損失を低減させるようにしている。
【０００６】
しかして、光源１２から出射されて光結合部１４に結合された光１８は、放射状に広がりながら導光板１３の内部へ導かれる。光結合部１４から導光板１３内に入射した光１８は、光源１２を中心として導光板１３内を全反射しながら進み、光出射面１７（導光板１３の表面）から見ると直線的に導光される。導光板１３内の光１８が拡散パターン１５に入射し、光出射面１７に対して全反射の臨界角よりも小さな入射角で入射すると、光出射面１７から外部へ出射される。
【０００７】
導光板１３の光出射面１７から外部へ出射される光量は、導光板１３内における導光量と放射損失係数との積で表わすことができ、放射損失係数で導光量低下を補うように設計することにより均一な出射光量を得ることができる。放射損失係数は拡散パターン１５の密度によって制御される。すなわち、各方位において、光源１２の近くでは拡散パターン１５のパターン密度を小さくすることによって放射損失係数を小さくし、光源１２から遠くなるにつれてパターン密度を大きくして放射損失係数を大きくしてあり、これによって光出射面１７全体で輝度が均一化される。
【０００８】
上記のように放射結合型の面光源装置１１では、導光板１３内部で光が直線的に導光されることから、導光板１３の形状に合わせて光源１２の指向性を制御する必要があり、光結合部１４の形状によって指向性を制御している。矩形状の導光板１３を用いた放射結合型の面光源装置１１における理想的な光源１２の指向性を図４に示す。光出射面における各方位の輝度を均一にするためには、単位角度内に導光すべき光量は、各方位における光源１２から導光板１３の出射領域の端までの距離の２乗にほぼ比例する。そこで、光結合部１４の形状を図３（ｂ）に示したような形状とし、そのレンズ作用により光を屈折させて、対角方向（光源１２と導光板１３の角を結ぶ方向）±θａへ光を集め、光量分布を補正している。
【０００９】
【発明が解決しようとする課題】
しかし、実際の指向性を理想的な指向性と完全に一致させることは不可能で、光源自体の指向特性に依存する輝度むらが発生するので、光源輝度の高い方向でパターン密度を下げ、光源輝度が低い方向のパターン密度に合わせることにより、輝度分布が均一となるようにしている。この結果、補正された指向性は、図５に実線で示したようなものとなる。
【００１０】
ところが、このような補正された指向性に合わせて光結合面を設計したとしても、実際には図５に実線で示したような指向性が得られるということはなく、現実には図５に破線で示したような指向性となる。図５に実線で示した指向性と破線で示した現実の指向性とのずれは、各方位毎に輝度ばらつきを生じる原因となるので、放射結合型の面光源装置１１においては、大きな課題となっている。すなわち、図５に破線で示したような指向性を有する面光源装置１１では、図６に示すように左右両隅方向の領域Ｒ１と対角方向の領域Ｒ２では光量が不足して輝度が低くなる。また、左右両隅方向の領域Ｒ１と対角方向の領域Ｒ２の中間領域Ｒ３では、利用されない余剰の光が生じる。
【００１１】
この対策としては、まず、輝度の不足する方向で拡散パターン１５の密度を高くすることによって輝度を向上させることがある。しかし、左右両隅方向の領域Ｒ１（光源１２からの出射角度の大きな領域）では、光源１２に近いために拡散パターン１５の高密度化は困難である。輝度の低い両隅方向の領域Ｒ１を無くしたり小さくしたりするためには、出射角度の大きな光を使用しないようにし、光源１２と発光領域との距離を大きくすればよい（つまり、両隅方向の領域Ｒ１を含む部分には拡散パターンを設けない）が、これは面光源装置の小型化の要望に逆行する。また、輝度の低い領域に合わせて全体の輝度を落とせば輝度ばらつきは小さくできるが、このような方法では面光源装置の高輝度化の要望に逆行することになる。
【００１２】
本発明は上述の技術的問題点を解決するためになされたものであり、その目的とするところは、光源からの出射角度の大きな領域の輝度を高くすることができる面光源装置を提供することにある。
【００１３】
【課題を解決するための手段】
請求項１に記載の面光源装置は、導光板に比べて小さな光源と、前記光源から入射した光を閉じ込める導光板と、前記導光板内部の光を拡散反射させて導光板を発光させる光学パターンと、前記導光板の光学パターンが設けられている領域を抜けて前記光学パターンが設けられていない領域に達した余剰の光を、光学パターンが設けられていない領域の別な場所へ向けて偏向させる第１の偏向手段と、前記第１の偏向手段により偏向された光を、導光板の光学パターンが設けられている領域へ向けて偏向させる第２の偏向手段とを有することを特徴としている。
【００１４】
請求項２に記載の面光源装置は、請求項１に記載した面光源装置における前記第１又は第２の偏向手段のうち、少なくとも１つが、前記導光部の光学パターンを設けられていない領域に形成されたプリズムであることを特徴としている。
【００１５】
請求項３に記載の面光源装置は、請求項１に記載の面光源装置における前記第１又は第２の偏向手段のうち、少なくとも１つは湾曲した面によって形成されていることを特徴としている。
【００１６】
請求項４に記載の面光源装置は、請求項１に記載した面光源装置において、前記第１の偏向手段の設置部分と前記第２の偏向手段の設置部分の間において、前記光学パターンを設けられた領域と前記光学パターンを設けられていない領域とを仕切るようにして反射部材を設けたことを特徴としている。
【００１７】
【作用】
請求項１に記載の面光源装置にあっては、導光板の光学パターンが設けられている領域を抜けて前記光学パターンが設けられていない領域に達した余剰の光を、光学パターンが設けられていない領域の別な場所へ向けて偏向させる第１の偏向手段と、前記第１の偏向手段により偏向された光を、導光板の光学パターンが設けられている領域へ向けて偏向させる第２の偏向手段とを有しているから、第１の偏向手段を余剰の光量が存在する領域に設け、第２の偏向手段を光量の不足する領域の近傍に設けておけば、余剰の光量を第１の偏向手段によって第２の偏向手段へ送り、第２の偏向手段から光量の不足する領域へ導光させることができる。よって、光量の過不足のバランスをとり、面光源装置の輝度分布を均一化することができる。
【００１８】
請求項２に記載の面光源装置にあっては、請求項１に記載した面光源装置における前記第１又は第２の偏向手段のうち、少なくとも１つが前記導光部の光学パターンを設けられていない領域に形成されたプリズムとなっているから、第１又は第２の偏向手段に入射した光をプリズムで確実に反射して偏向させることができる。よって、第１又は第２の偏向手段における光量損失を低減することができる。
【００１９】
請求項３に記載の面光源装置にあっては、請求項１に記載の面光源装置における前記第１又は第２の偏向手段のうち、少なくとも１つが湾曲した面によって形成されているから、当該偏向手段で光の方向を偏向させる際、その湾曲面による集光作用で光を絞りながら送ることができる。よって、第１及び第２の偏向手段で光を偏向させているうちに光が次第に発散するのを防止でき、光量の余剰な領域から光量不足の領域へ効率よく光を送ることができる。
【００２０】
請求項４に記載の面光源装置にあっては、請求項１に記載した面光源装置において、前記第１の偏向手段の設置部分と前記第２の偏向手段の設置部分の間において、前記光学パターンを設けられた領域と前記光学パターンを設けられていない領域とを仕切るようにして反射部材を設けているから、第１の偏向手段で偏向させられた光が第２の偏向手段へ達する途中で光学パターンの設けられた領域に入り、輝度むらを起こすことがない。
【００２１】
【発明の実施の形態】
（第１の実施形態）
図７は本発明の一実施形態による面光源装置２１を示す平面図である。この面光源装置２１は放射結合型の面光源装置であって、ポリカーボネイト樹脂やメタクリル樹脂等の屈折率の大きな透明樹脂によって成形された導光板２２の端縁中央部に光結合部２３が設けられており、光結合部２３内にＬＥＤ等からなる小さな光源２４が配置されている。この光結合部２３は、ほぼ図３（ｂ）に示したような形状を有しており、図５に実線で示すような指向性が得られるように設計されているが、実際には、図５に破線で示したような指向性となっている。
【００２２】
導光板２２の周囲を除く領域の裏面には、光源２４を中心にして拡散パターン２５が同心円状に配列されている。この拡散パターン２５は、光源２４を中心とする円周方向に均一な形状を有している。従って、導光板２２は、周囲に拡散パターン２５の形成されていない領域（以下、非発光領域２６という）があり、その内側に拡散パターン２５の形成された領域（以下、発光領域２７という）が存在している。拡散パターン２５により、光源２４からの光は、光出射面２８と垂直で、かつ光源２４と当該パターンを結ぶ方向を含む平面内で偏向させられる。従って、拡散パターン２５に当たって光出射面２８から出射されなかった光も導光方向が変化せず、平面視では光源２４から直線的に導光される。また、各方位においては、光源２４の近くでは拡散パターン２５のパターン密度を小さくし、光源２４から遠くなるにつれてパターン密度を大きくし、これによって光源２４の近くと遠くとで輝度が均一化されるようにしている。導光板２２の裏面には、正反射シート２９が設けられており（図１０）、導光板２２の裏面から漏れた光を正反射シート２９で反射させることによって導光板２２内部へ戻し、光の損失を低減させるようにしている。
【００２３】
また、導光板２２の左右側面に位置する非発光領域２６のうち、光源２４から遠い側には第１の偏向部３０が設けられ、光源２４側の端に近い位置には第２の偏向部３１が設けられている。第１の偏向部３０は、光源２４から見て±αの方向に設けられており、この方向±αは余剰の光が含まれる領域Ｒ３（図６及び図７参照）内に含まれている。第１の偏向部３０は、図９（ａ）に示すように、導光板２２の側面を切り欠くようにしてプリズム状に形成されており、導光板２２の側面に対して略αの角度をなす方向から来た光を２度全反射させることにより、導光板２２の側面とほぼ平行な方向へ出射させられるようになっている。
【００２４】
第２の偏向部３１は、図９（ｂ）に示すように、左右両隅の輝度の低い領域Ｒ１（図６及び図７参照）の近傍に設けられており、導光板２２の側面をＶ溝状に切り欠くようにして形成されており、導光板２２の側面とほぼ平行な方向から来た光を領域Ｒ１へ向けて（特に、光源２４の方向へ向けて）全反射させるようにしている。
【００２５】
しかして、この面光源装置２１にあっては、領域Ｒ３に含まれる余剰の光３２が第１の偏向部３０に到達すると、図８に示すように、第１の偏向部３０で２回全反射された後、導光板２２の側面と平行に方向を変えられ、第２の偏向部３１に入射する。第２の変更部へ入射した光３２は、第２の偏向部３１で全反射されることにより、領域Ｒ１へ向けて出射される。この結果、領域Ｒ３へ向けて出射された余剰の光３２の一部が光量の不足する領域Ｒ１へ注入される。この結果、面光源装置２１の発光領域２７全体の輝度を低下させることなく、輝度ばらつきを低減することが可能になる。
【００２６】
また、第２の偏向部３１で反射された光３２が光源２４の方向へ向けて反射されるようにすれば、逆方向から領域Ｒ１へ注入された光３２によって他の領域の輝度が変化させられることはないので、領域Ｒ１のみに光を補うことが可能になる。
【００２７】
なお、第１の偏向部３０には、ある程度広い範囲から光の入射する可能性があるので、１回の全反射では第１の偏向部３０で全反射することなく透過する恐れがある。そのため、プリズム状にして光の漏れを低減している。しかし、第２の偏向部３１に入射する光は、第１の偏向部３０で偏向された光だけで入射範囲が限定されているので、１回の全反射で偏向させるようにしている。もちろん、第２の偏向部３１もプリズム状にしても差し支えない。
【００２８】
図１０は面光源装置２１の裏面図である。導光板２２の裏面に貼り付けられた正反射シート２９のうち、非発光領域２６で第１の偏向部３０と対向する部分、第２の偏向部３１と対向する部分、第１及び第２の偏向部３１の間の部分を除去している。
【００２９】
正反射シート２９は、導光板２２の裏面から漏れた光を導光板２２内へ反射させることにより、光量損失を低減するものであるが、第１の偏向部３０と第２の偏向部３１の間においては導光板２２の裏面から光が漏れることがないから、この領域では正反射シート２９は必要ない。むしろ、第１の偏向部３０と第２の偏向部３１の間において導光板２２の裏面に正反射シート２９が存在していると、図１１に示すように、正反射シート２９による光の吸収や散乱が生じ、全反射のみで導光する場合（正反射シート２９がない場合）に比べ、効率が低下する。
【００３０】
従って、第１及び第２の偏向部３１の中間においては、正反射シート２９を除去しておくことにより、第１の偏向部３０から第２の偏向部３１へ伝搬する光３２の吸収や散乱による光３２量損失を低減し、光３２利用効率を向上させている。
【００３１】
（第２の実施形態）
図１２は第１の偏向部３０の異なる構造を示している。この実施形態では、導光板２２の縁にＶ溝を形成することにより、斜めに傾斜した第１の偏向部３０を形成している。第１の偏向部３０の角度は、光源２４から来た光３２を第１の偏向部３０と第２の偏向部３１を結ぶ方向と平行な方向へ反射させるように設定されている。この第１の偏向部３０には反射部材３３を設けている。反射部材３３は、アルミニウム、銀などの金属膜を蒸着もしくはスパッタによって付着させて第１の偏向部３０に形成したミラー加工面でもよく、あるいは金属膜を第１の偏向部３０に接着したものでもよい。あるいは、反射率の高いシートを第１の偏向部３０に貼って反射部材としたり、反射率の高い塗料を第１の偏向部３０に塗布して反射部材３３としてもよい。
【００３２】
このように第１の偏向部３０に反射部材３３を設ければ、全反射条件を満たさない角度で光が第１の偏向部３０に入射した場合でも、光が第１の偏向部３０を突き抜けて漏れることがなく、入射光線を確実に反射して偏向させることが可能になるので、第１の偏向部３０の形状設計の自由度を高くすることができる。
【００３３】
なお、図示しないが、第２の偏向部３１においても、同様にミラー加工してもよい。
【００３４】
（第３の実施形態）
図１３は第１の偏向部３０のさらに別な構造を示す斜視図である。この第１の偏向部３０にあっては、厚み方向で第１の偏向部３０がプリズム状となるようにしている。この実施形態のように、第１の偏向部３０を厚み方向でプリズム状にすることによっても、入射した光３２を２回全反射させて第２の偏向部３１へ向かわせることができる。よって、このような構造の第１の偏向部３０によっても光の漏れを低減して光利用効率を向上させることができる。
【００３５】
なお、図示しないが、第２の偏向部３１も、同様に厚み方向でプリズム状にしてもよい。
【００３６】
（第４の実施形態）
図１４は第１の偏向部３０のさらに別な構造を示す。この実施形態では、プリズム状をした第１の偏向部３０ａ，３０ｂ，…を複数個並べて設けている。このような構造では、たとえば第１の偏向部３０ａで偏向された光３２は、他の第１の偏向部３０ｂ，…を透過して第２の偏向部３１へ向けられ、第２の偏向部３１にはすべての第１の偏向部３０ａ，３０ｂ，…で偏向された光３２が送られ、第２の偏向部３１で偏向されて領域Ｒ１へ注入される。よって、このような構成によれば、第１の偏向部が１つの場合と比較して、領域Ｒ３の余剰の光をより多く領域Ｒ１へ注入することができる。
【００３７】
なお、第１の偏向部（例えば、３０ａ）で偏向された光３２が他の第１の偏向部（例えば，３０ｂ，…）で反射されないようにするためには、図１４のように第１の偏向部３０ａ等で偏向された光３２が、他の偏向部３０ｂ，…等に垂直入射するようにしておくことが望ましい。
【００３８】
（第５の実施形態）
図１５は本発明のさらに別な実施形態による面光源装置３５の一部破断した平面図である。この実施形態にあっては、第１の偏向部３０及び第２の偏向部３１を曲面で形成することにより、それぞれ集光作用を持たせている。
【００３９】
光源２４から第１の偏向部３０に向かう光は、平行光ではなく、また光源２４は実際にはある程度の広がりを有している。このため、第１の偏向部３０において平面で反射させると、領域Ｒ１に達するまでにかなり発散する恐れがある。
【００４０】
これに対し、この実施形態では、第１の偏向部３０で偏向させた光３２を集光させながら第２の偏向部３１へ送り、第２の偏向部３１でも集光させながら領域Ｒ１へ注入することができるので、光３２の発散を抑えて効率よく導光することができる。
【００４１】
（第６の実施形態）
図１６は本発明の別な実施形態による面光源装置３６を示す一部破断した平面図である。この実施形態にあっては、発光領域２７と非発光領域２６との境界近傍において、発光領域２７と非発光領域２６を仕切るようにして、また第１の偏向部３０と第２の偏向部３１を結ぶ領域に沿って、反射部材３７を設けている。図１６では、反射部材３６として導光板２２にスリット状の溝を入れ、全反射により光３２を反射させるようにしている。
【００４２】
第１の偏向部３０で反射された光は、すべて第２の偏向部３１へ直進するのが理想的であるが、第１の偏向部３０で反射された光が非発光領域２６から逸れて発光領域２７に入ると、意図しない出射が起こり、輝度むらの原因となる。
【００４３】
これに対し、この実施形態では、発光領域２７と非発光領域２６を仕切るように反射部材３７を設けているので、第１の偏向部３０で反射されて発光領域２７へ向う光３２は、反射部材３７で反射され、発光領域２７へ入射するのを防止され、輝度むらの発生を抑制される。
【００４４】
なお、導光板２２にあけたスリット状の溝により反射部材３７を設ける場合には、あまり溝が長いと、その部分で非発光領域２６の機械的強度が低下する恐れがある。これを防止するためには、図１７（ａ）に示すように比較的短い溝を並べるようにすればよい。あるいは、図１７（ｂ）に示すように、一部もしくは全長にわたって、貫通しないようにしてもよい。
【００４５】
【発明の効果】
請求項１に記載の面光源装置によれば、第１の偏向手段を余剰の光量が存在する領域に設け、第２の偏向手段を光量の不足する領域の近傍に設けておけば、余剰の光量を第１の偏向手段によって第２の偏向手段へ送り、第２の偏向手段から光量の不足する領域へ導光させることができる。よって、光量の過不足のバランスをとり、面光源装置の輝度分布を均一化することができる。よって、面光源装置の小型化を阻害したり、全体の輝度を低下させたりすることなく、面光源装置の輝度ばらつきを低減することができる。
【００４６】
請求項２に記載の面光源装置によれば、請求項１に記載した面光源装置における少なくとも１つの偏向手段をプリズムとしているから、第１又は第２の偏向手段に入射した光をプリズムで確実に反射して偏向させることができる。よって、第１又は第２の偏向手段における光量損失を低減することができる。
【００４７】
請求項３に記載の面光源装置によれば、請求項１に記載の面光源装置における少なくとも１つの偏向手段を湾曲した面によって形成しているから、当該偏向手段で光の方向を偏向させる際、その湾曲面による集光作用で光を絞りながら送ることができる。よって、第１及び第２の偏向手段で光を偏向させているうちに光が次第に発散するのを防止でき、光量の余剰な領域から光量不足の領域へ効率よく光を送ることができる。
【００４８】
請求項４に記載の面光源装置によれば、請求項１に記載した面光源装置において、前記第１の偏向手段の設置部分と前記第２の偏向手段の設置部分の間において、前記光学パターンを設けられた領域と前記光学パターンを設けられていない領域とを仕切るようにして反射部材を設けているから、第１の偏向手段で偏向させられた光が第２の偏向手段へ達する途中で光学パターンの設けられた領域に入り、輝度むらを起こすことがない。
【図面の簡単な説明】
【図１】従来例による面光源装置を示す分解斜視図である。
【図２】図１の面光源装置の作用説明図である。
【図３】放射結合型の面光源装置を示す斜視図である。
【図４】図２の面光源装置の光結合部を示す平面図である。
【図５】光結合部の理想的な指向性を示す図である。
【図６】補正された指向性と実際の指向特性を示す図である。
【図７】本発明の一実施形態による面光源装置の平面図である。
【図８】図７の面光源装置における偏向部の作用説明図である。
【図９】（ａ）（ｂ）は偏向部における光の挙動を示す拡大図である。
【図１０】本発明の別な実施形態による面光源装置の裏面図である。
【図１１】同上の実施形態を説明するための図である。
【図１２】本発明のさらに別な実施形態における偏向部の拡大平面図である。
【図１３】本発明のさらに別な実施形態における偏向部の拡大斜視図である。
【図１４】本発明のさらに別な実施形態における偏向部の拡大平面図である。
【図１５】本発明のさらに別な実施形態における面光源装置の一部破断した平面図である。
【図１６】本発明のさらに別な実施形態における面光源装置の一部破断した平面図である。
【図１７】（ａ）（ｂ）はそれぞれ図１６の実施形態における反射部材の概略断面図である。
【符号の説明】
２２  導光板
２３  光結合部
２４  光源
２５  拡散パターン
２６  非発光領域
２７  発光領域
３０  第１の偏向部
３１  第２の偏向部
【図１】
0003915303.tif 000002
【図２】
0003915303.tif 000003
【図３】
0003915303.tif 000004
【図４】
0003915303.tif 000005
【図５】
0003915303.tif 000006
【図６】
0003915303.tif 000007
【図７】
0003915303.tif 000008
【図８】
0003915303.tif 000009
【図９】
0003915303.tif 000010
【図１０】
0003915303.tif 000011
【図１１】
0003915303.tif 000012
【図１２】
0003915303.tif 000013
【図１３】
0003915303.tif 000014
【図１４】
0003915303.tif 000015
【図１５】
0003915303.tif 000016
【図１６】
0003915303.tif 000017
【図１７】
0003915303.tif 000018